(57)【要約】【課題】カビ等細菌の増殖を抑えるとともに、臭いの成分や汚れを分解して低減することが可能な異物除去フィルタおよびそれを用いた洗濯機を提供する。【解決手段】本体部６０と、捕集部６１と、導光部６２と、を有し、捕集部６１の少なくとも表面には導光部６２を導光した光によって光触媒機能が発現する光触媒が配置されている。本体部６０は、導光部６２に光を導光させるＬＥＤ６３と、ＬＥＤ６３に電力を供給する電力供給部６４と、を備える。【選択図】図６
2017148202.tif 000002
【特許請求の範囲】
【請求項１】
本体部と、捕集部と、導光部と、を有し、
前記捕集部の少なくとも表面には、前記導光部によって導光された光によって光触媒機能が発現する光触媒が配置されていることを特徴とする異物除去フィルタ。 
【請求項２】
請求項１に記載の異物除去フィルタにおいて、
前記本体部は、前記導光部に光を導光させる光源と、前記光源に電力を供給する電力供給源と、を備えることを特徴とする異物除去フィルタ。
【請求項３】
請求項１に記載の異物除去フィルタにおいて、
前記導光部の少なくとも表面には、光触媒が配置されることを特徴とする異物除去フィルタ。
【請求項４】
請求項１に記載の異物除去フィルタにおいて、
前記捕集部が前記導光部を兼ねていることを特徴とする異物除去フィルタ。
【請求項５】
請求項１に記載の異物除去フィルタにおいて、
前記捕集部は、網状の繊維で構成され、
前記導光部は、前記捕集部を保持するフレームで構成されていることを特徴とする異物除去フィルタ。
【請求項６】
請求項２に記載の異物除去フィルタにおいて、
前記光触媒は、前記光源が発光する可視光の波長範囲の少なくとも一部で光触媒機能を発現するものであることを特徴とする異物除去フィルタ。
【請求項７】
本体部と、捕集部と、導光部と、を有し、前記導光部によって導光された光によって光触媒機能が発現する光触媒が前記捕集部の少なくとも表面に配置されている異物除去フィルタと、
洗濯機本体に設けられ、前記異物除去フィルタを差し込むケース部と、
前記洗濯機本体の側に設けられる光源と、を備え、
前記ケース部の少なくとも一部は、前記光源からの光を透過して前記導光部に導光させる光透過部を有することを特徴とする洗濯機。
【請求項８】
請求項７に記載の洗濯機において、
前記洗濯機本体は、前記光源と前記光透過部との間に前記光源からの光を集光する光学系を備えること特徴とする洗濯機。
【請求項９】
本体部と、捕集部と、導光部と、を有し、前記捕集部の少なくとも表面に光触媒が配置されている異物除去フィルタと、
洗濯機本体に設けられ、前記異物除去フィルタを差し込むケース部と、を備え、
前記本体部は、前記導光部に光を導光させる光源と、前記光源に電力を供給する電力受電・供給部と、を有し、
前記ケース部は、前記電力受電・供給部に電力を供給する電力供給部を備えることを特徴とする洗濯機。
【請求項１０】
本体部および捕集部を有する異物除去フィルタと、
洗濯機本体に設けられ、前記異物除去フィルタを差し込むケース部と、を備え、
前記ケース部は、光源および導光部を備え、
前記導光部は、前記ケース部から前記捕集部に向けて突き出して構成され、
前記捕集部の少なくとも表面には、前記導光部を導光した光によって光触媒機能が発現する光触媒が配置されていることを特徴とする洗濯機。
【請求項１１】
請求項７または請求項８に記載の洗濯機において、
前記光透過部において、その表面の全部もしくは一部に光触媒が配置されていることを特徴とする洗濯機。
【請求項１２】
請求項７から請求項１１のいずれか１項に記載の洗濯機において、
前記ケース部および前記導光部の少なくとも一方において、その表面の全部もしくは一部に光触媒が配置されていることを特徴とする洗濯機。
【請求項１３】
請求項７から請求項１２のいずれか１項に記載の洗濯機において、
前記導光部の一部に光の向きを変える屈曲部を有することを特徴とする洗濯機。
【請求項１４】
請求項７から請求項１３のいずれか１項に記載の洗濯機において、
前記光源は、洗濯機の洗い工程を実行するとき以外に点灯することを特徴とする洗濯機。
【請求項１５】
請求項７から請求項１４のいずれか１項に記載の洗濯機において、
前記洗濯機本体は、送風機と、前記送風機により発生した風を前記異物除去フィルタに供給する流路と、を有することを特徴とする洗濯機。
【請求項１６】
請求項７から請求項１５のいずれか１項に記載の洗濯機において、
前記光触媒は、前記光源が発光する可視光の波長範囲の少なくとも一部で光触媒機能を発現するものであることを特徴とする洗濯機。
【発明の詳細な説明】
【技術分野】
【０００１】
本発明は、異物除去フィルタおよびそれを用いた洗濯機に関する。
【背景技術】
【０００２】
洗濯機の洗濯槽内のカビの増殖を抑える技術が特許文献１に記載されている。この特許文献１には、紫外線ＬＥＤを用いて、洗濯槽の外面および／または該洗濯槽の外側に位置して水を蓄える水槽の内面に紫外線を直接照射させることにより、カビ等細菌の増殖を防止できる洗濯機が記載されている。
【先行技術文献】
【特許文献】
【０００３】
【特許文献１】特開２００５−７３９８９号公報
【発明の概要】
【発明が解決しようとする課題】
【０００４】
しかしながら、特許文献１に記載された洗濯機は、洗濯機の中の洗濯槽の部分を対象としたものであり、スペースなどの関係で異物除去フィルタ（いわゆる糸くずフィルタ）に適用できない問題があった。
【０００５】
本発明は前記従来の問題を解決するものであり、カビ等細菌の増殖を抑えるとともに、臭いの成分や汚れを分解して低減することが可能な異物除去フィルタおよびそれを用いた洗濯機を提供することを目的とする。
【課題を解決するための手段】
【０００６】
本発明の異物除去フィルタは、本体部と、捕集部と、導光部と、を有し、前記捕集部の少なくとも表面には、前記導光部によって導光された光によって光触媒機能が発現する光触媒が配置されていることを特徴とする。
【０００７】
本発明の洗濯機は、本体部と、捕集部と、導光部と、を有し、前記導光部によって導光された光によって光触媒機能が発現する光触媒が前記捕集部の少なくとも表面に配置されている異物除去フィルタと、洗濯機本体に設けられ、前記異物除去フィルタを差し込むケース部と、前記洗濯機本体の側に設けられる光源と、を備え、前記ケース部の少なくとも一部は、前記光源からの光を透過して前記導光部に導光させる光透過部を有することを特徴とする。
【０００８】
本発明の洗濯機は、本体部と、捕集部と、導光部と、を有し、前記捕集部の少なくとも表面に光触媒が配置されている異物除去フィルタと、洗濯機本体に設けられ、前記異物除去フィルタを差し込むケース部と、を備え、前記本体部は、前記導光部に光を導光させる光源と、前記光源に電力を供給する電力受電・供給部と、を有し、前記ケース部は、前記電力受電・供給部に電力を供給する電力供給部を備えることを特徴とする。
【０００９】
本発明の洗濯機は、本体部および捕集部を有する異物除去フィルタと、洗濯機本体に設けられ、前記異物除去フィルタを差し込むケース部と、を備え、前記ケース部は、光源および導光部を備え、前記導光部は、前記ケース部から前記捕集部に向けて突き出して構成され、前記捕集部の少なくとも表面には、前記導光部を導光した光によって光触媒機能が発現する光触媒が配置されていることを特徴とする。
【発明の効果】
【００１０】
本発明によれば、カビ等細菌の増殖を抑えるとともに、臭いの成分や汚れを分解して低減することが可能な異物除去フィルタおよびそれを用いた洗濯機を提供できる。
【図面の簡単な説明】
【００１１】
【図１】第１実施形態に係る洗濯機を示す外観斜視図である。
【図２】第１実施形態に係る洗濯機の内部構造を概略的に示す側面図である。
【図３】第１実施形態に係る洗濯機の筺体の内部構造を示す斜視図である。
【図４】第１実施形態の異物除去フィルタを示す斜視図である。
【図５】図４の異物除去フィルタを概略的に示す斜視図である。
【図６】異物除去フィルタをケース部に装着した状態を示す断面図である。
【図７】第１実施形態に係る洗濯機の動作を示すフローチャートである。
【図８】第２実施形態の異物除去フィルタの導光部を示す側面図である。
【図９】第２実施形態の変形例の異物除去フィルタの導光部を示す側面図である。
【図１０】第３実施形態の異物除去フィルタを示す斜視図である。
【図１１】第３実施形態の変形例の異物除去フィルタを示す斜視図である。
【図１２】第４実施形態の異物除去フィルタを示し、（ａ）は斜視図、（ｂ）は側面図である。
【図１３】第５実施形態の異物除去フィルタを備えた洗濯機の一部の概略構成を示す断面図である。
【図１４】第６実施形態の異物除去フィルタを備えた洗濯機の一部の概略構成を示す断面図である。
【図１５】第６実施形態の変形例の異物除去フィルタおよび洗濯機本体の一部の概略構成を示す断面図であり、（ａ）は第１の変形例、（ｂ）は第２の変形例、（ｃ）は第３の変形例である。
【図１６】第７実施形態の異物除去フィルタを示す断面図である。
【図１７】第８実施形態の異物除去フィルタを備えた洗濯機の内槽を示す断面斜視図である。
【図１８】第８実施形態の異物除去フィルタを概略的に示す斜視図である。
【図１９】第８実施形態の異物除去フィルタの導光部を示す斜視図である。
【発明を実施するための形態】
【００１２】
次に、本発明の実施形態のドラム式洗濯乾燥機（洗濯機）について、適宜図面を参照しながら詳細に説明する。なお、以下の説明における前後上下左右の方向は、図１に示す前後上下左右の方向を基準とする。
【００１３】
（第１実施形態）
図１は、第１実施形態に係る洗濯機を示す外観斜視図である。
図１に示すように、洗濯機Ｓは、筐体１を含む洗濯機本体１０を備えている。洗濯機本体１０は、筺体１の前面略中央に洗濯物を出し入れするための投入口を塞ぐドア９を備えている。また、洗濯機本体１０は、筐体１の前面上部中央に、電源スイッチ３９、操作スイッチ１３，１５、表示器１４などを備えた操作パネル６を備えている。この操作パネル６は、筐体１の下部に設けた制御装置５０（図２参照）と電気的に接続されている。また、筐体１の前面下部には、異物除去フィルタ１００（いわゆる糸くずフィルタ、図２参照）を着脱する際に開閉される扉１ｓが設けられている。
【００１４】
図２は、第１実施形態に係る洗濯機の内部構造を概略的に示す側面図である。
図２に示すように、洗濯機Ｓは、筐体１内に防振支持される外槽２と、外槽２内に回転自在に支持される回転ドラム３（内槽）と、回転ドラム３を回転駆動させるドラムモータ（図示省略）と、送風ユニット５１と、循環配管５２と、循環ポンプ５３と、を含む洗濯機本体１０と、異物除去フィルタ１００と、を備えて構成されている。
【００１５】
外槽２は、円筒形状を呈し、回転ドラム３を同軸上に内包し、前面が開口している。前面の開口部には、外槽２内への貯水を可能にする外槽カバー２ｄが設けられている。また、外槽２の下側は、ダンパ５で防振支持されている。また、外槽２（外槽カバー２ｄ）の開口部には、ゴム製のベローズ１６が設けられ、ドア９を閉じることで外槽２を水封するようになっている。
【００１６】
回転ドラム３は、回転可能に支持された円筒状の洗濯兼脱水槽であり、その外周壁および底壁に通水および通風のための多数の貫通孔３ｓ（図３参照）を有し、前側端面には、洗濯物を出し入れするための開口部３ａが設けられている。開口部３ａの外周側には、回転ドラム３と一体に回転する流体バランサ３ｃが設けられている。また、回転ドラム３の内周壁には、洗濯物を持ち上げるリフタ３ｂが設けられている。また、回転ドラム３の回転中心軸は、略水平または開口部３ａ側が高くなるように傾斜している。
【００１７】
送風ユニット５１は、送風機５１ａ、ヒータ５１ｂを備えて構成され、筺体１内の補強材（不図示）に固定されている。送風機５１ａは、駆動用のモータ２４ａ（ファンモータ）、ファン羽根車（図示省略）、ファンケース２４ｃで構成されている。ファンケース２４ｃにはヒータ５１ｂが内蔵されており、ファン羽根車から送られる空気を加熱する。ヒータ５１ｂは、ＰＴＣ（Positive Temperature Coefficient）ヒータなどで構成されている。
【００１８】
送風ユニット５１の吐出口５１ｃは温風ダクト２６に接続されている。温風ダクト２６は、外槽カバー２ｄに設けた吹出口２ｓに接続されている。
【００１９】
循環配管５２は、外槽２の底と外槽２の上部とを接続する流路であり、循環ホース５２ａ，５２ｂによって構成されている。なお、ここでの外槽２の上部とは、洗濯水を衣類に散布する際に衣類の上方から洗濯水を散布できる高さ位置である。循環ホース５２ａは、上流側の端部が外槽２の底に設けられた排水口２１に接続され、下流側の端部が異物除去フィルタ１００を介して循環ポンプ５３に接続されている。循環ホース５２ｂ（一部図示省略）は、上流側の端部が循環ポンプ５３に接続され、下流側の端部が外槽カバー２ｄに接続されている。洗濯水は、外槽カバー２ｄの上部から回転ドラム３内に向かってシャワー状に散布されるように構成されている。
【００２０】
循環ポンプ５３は、外槽２の底に溜まった洗濯水を、循環配管５２を介して吸い上げて回転ドラム３内の衣類に散布させる吸上力を発生させるものであり、例えば毎分８０リットル（８０Ｌ／分）の大流量の洗濯水を循環させることができるものである。
【００２１】
このように、外槽２の底に溜まった洗濯水は、循環ポンプ５３によって循環ホース５２ａを介して吸い込まれ、異物除去フィルタ１００で異物が除去された後に、循環ホース５２ｂを通って回転ドラム３内の洗濯物に散水するようにして循環する。
【００２２】
筐体１の背面内側には、乾燥ダクト２９が配置されている。この乾燥ダクト２９は、外槽２の後部に設けた吸気口にゴム製の蛇腹ホース２９ａを介して接続されている。乾燥ダクト２９内には、公知の水冷除湿機構（図示せず）が内蔵されている。なお、ヒータ、水冷除湿機構の代わりにヒートポンプを用いてもよい。
【００２３】
排水ホース１９は、上流側の端部が異物除去フィルタ１００に接続され、下流側の端部が排水弁２５を介して機外に延出している。
【００２４】
制御装置５０は、マイクロコンピュータ、駆動回路等を備えるとともに、操作スイッチ１３，１５のオンオフ信号や各種センサからの出力信号の入力回路等も備えている。また、制御装置５０は、マイクロコンピュータを介して、使用者の操作や、洗濯工程（洗い工程、すすぎ工程、脱水工程）、乾燥工程での各種情報信号を取得する。また、制御装置５０は、マイクロコンピュータが駆動回路を介して、ドラムモータの回転、給水電磁弁や排水弁２５の開閉、循環ポンプ５３の回転、送風ユニット５１の回転やヒータ５１ｂの通電のＯＮ・ＯＦＦ、ＬＥＤ６３のＯＮ・ＯＦＦを制御する。
【００２５】
図３は、第１実施形態に係る洗濯機の筺体の内部構造を示す斜視図である。
図３に示すように、フィルタケース７０（ケース部）は、異物除去フィルタ１００が収容される円筒形状の収容部７０ａ（図４参照）を有している。また、フィルタケース７０は、手前側が上向きとなるように傾斜して配置されている。異物除去フィルタ１００には、つまみ部６０ｂが設けられており、異物除去フィルタ１００を収容部７０ａ内に収容した後に、つまみ部６０ｂを所定の方向へ回転させてフィルタケース７０にねじ込むことで、異物除去フィルタ１００が収容部７０ａ内において固定される。
【００２６】
図４は、第１実施形態に係る洗濯機の筺体の内部構造を示す斜視図、図５は、図４の異物除去フィルタを概略的に示す斜視図、図６は、異物除去フィルタをケース部に装着した状態を示す断面図である。
図４に示すように、異物除去フィルタ１００は、本体部６０と、捕集部６１と、導光部６２と、を備えて構成されている。
【００２７】
本体部６０は、ポリプロピレンなど合成樹脂材料で形成され、円筒部６０ａと、この円筒部６０ａの内側に一体に形成されるつまみ部６０ｂと、捕集部６１を固定する固定部６０ｃと、を有して構成されている。なお、本体部６０の材料としては、ポリスチレン、アクリルなどの樹脂やステンレスなどの金属、ガラスなど用いてもよい。
【００２８】
また、本体部６０は、洗濯機本体１０（図２参照）側に形成されたフィルタケース７０との隙間をふさぎ、水が漏れることを防ぐパッキン６０ｄを備えている。
【００２９】
捕集部６１は、本体部６０と同様な合成樹脂、金属、ガラスなどで形成され、異物を捕集するための略半円形状で収容部７０ａの軸方向に細長いかご形状を有している。また、捕集部６１は、収容部７０ａの内壁面に沿って延在する左右の側壁６１ａ，６１ａと、側壁６１ａ，６１ａの下縁部を繋ぐ底壁６１ｂと、先端（前端）において側壁６１ａと底壁６１ｂとをまとめて繋ぐ前壁６１ｃと、を備えて構成されている。前壁６１ｃは、底壁６１ｂに対して傾斜して配置されている。
【００３０】
また、側壁６１ａ，６１ａ、底壁６１ｂおよび前壁６１ｃには、捕集孔６１ｄが複数形成されている。各捕集孔６１ｄは、図４に示すように矩形状であってもよく、図５に示すように円形状であってもよい。
【００３１】
捕集部６１の表面には、光触媒がコーティングされている。なお、捕集部６１の表面に光触媒をコーティングする構成に限定されるものではなく、捕集部６１を構成する樹脂などの材料の中にあらかじめ光触媒を混ぜておき、光触媒の一部が表面に露出している構成であってもよい。さらに光触媒をコートする際に密着性のため、また樹脂などの材料保護のためにアンダーコート材を施してもよい。
【００３２】
光触媒は、特定の波長領域の光を当てることによって光触媒作用を発現する材料である。特に、紫外から青領域の波長の光を当てることによって光触媒作用を発現することができる。例えば、酸化チタン、酸化亜鉛、硫化カドミウム、酸化タングステンなどや、これらに他の材料を添加したものを用いることができる。具体的には、紫外光と酸化チタンとの組みせを挙げることができる。
【００３３】
例えば、銅を添加した酸化タングステンや窒素を添加した酸化チタンなどは可視光である青から緑の波長領域（４００−５００ｎｍ）でも触媒作用を発現できる。青から緑などの波長領域の光を利用する場合は、導光部６２として、紫外光の波長領域での透過率は低くても、青領域の光の透過率は高い材料を用いることができるため、材料の選択肢を広げることができる。また、発光波長が青領域の光源（ＬＥＤ）の方が、紫外領域の光源（ＬＥＤ）よりも低コストにできる。また、青から緑の波長領域の光源（ＬＥＤ）を使用することで、紫外光の光源（ＬＥＤ）を使用する場合よりも、捕集部６１の材料の劣化を抑制できる。
【００３４】
導光部６２は、四角柱からなる棒形状であり、一端が本体部６０に固定され、片持ち状態で支持されている。なお、導光部６２は、四角柱に限定されるものではなく、円柱であっても、三角柱、多角注など適宜形を変更することができる。
【００３５】
また、導光部６２は、ＬＥＤ６３（図６参照）の発光波長において吸収が少なく、透明であることが望ましく、アクリルやポリスチレン、ガラス、石英などを用いることができる。
【００３６】
また、導光部６２の表面には、捕集部６１と同様な光触媒がコーティングされている。なお、導光部６２は、表面にコーティングする構成に限定されず、樹脂材料中にあらかじめ光触媒を混ぜておき、光触媒の一部が表面に露出している構成であってもよい。
【００３７】
図６に示すように、異物除去フィルタ１００は、本体部６０の内部に、ＬＥＤ６３および電力供給部６４（電力供給源）を備えている。図６は、本実施形態の異物除去フィルタ１００を用いた洗濯機Ｓの排水経路の概略構成の断面図であり、特に異物除去フィルタ１００が洗濯機本体１０のフィルタケース７０に差し込まれている部分を示している。なお、電力供給部６４の交換が可能なようにつまみ部６０ｂを取り外せる機構を有していてもよい。
【００３８】
ＬＥＤ６３の発光方向に導光部６２が配置されている。フィルタケース７０には、洗濯水を導入する循環ホース５２ａと、洗濯水を導出する循環ホース５２ｂが接続されている。循環ホース５２ａは、フィルタケース７０の捕集部６１の基端側に接続され、排水ホース１９は、捕集部６１の先端より下方に接続されている。
【００３９】
また、ＬＥＤ６３は、前記した光触媒が機能する紫外から青領域のいずれかの波長の光を発光し、その材質は窒化ガリウム系や酸化亜鉛系などである。また形状として、表面実装タイプや砲弾ランプタイプ、缶タイプなどがあり、いずれも用いてもよい。
【００４０】
電力供給部６４は、各種乾電池やボタン電池などを用いることができ、本体部６０に搭載されている。
【００４１】
洗濯機本体１０から排水される場合は、排水が循環ホース５２ａからフィルタケース７０に差し込まれた異物除去フィルタ１００の捕集部６１に開口側から流れ込み、捕集部６１の各捕集孔６１ｄを通過して、排水ホース１９を通って排出される。また、循環ポンプ５３（図２参照）によって洗濯水が循環している場合は、洗濯水が循環ホース５２ａからフィルタケース７０に差し込まれた異物除去フィルタ１００の捕集部６１に開口側から流れ込み、捕集部６１の各捕集孔６１ｄを通過して、循環ホース５２ｂを通って回転ドラム３内に戻される。このようにして、排水中または洗濯水に含まれる糸くずなどの異物が捕集部６１に捕捉される。
【００４２】
ＬＥＤ６３は電力供給部６４からの電力により発光し、導光部６２の基端に光を入射する。入射した光は導光部６２と空気（または水）の界面で全反射し、捕集部６１に糸くずが溜まっていても、導光部６２の先端まで光を届けることができる。すなわち、導光部６２の導光機能は、空気（屈折率１．０）と導光部６２（屈折率1.４〜１．６程度）との界面での全反射によって生じる。周囲が水（屈折率約１．３３）の場合でも導光部６２との屈折率差があるために導光させることができる。
【００４３】
そして、導光部６２から出射された光は、捕集部６１の表面にコーティングされた光触媒に照射される。光触媒に光が当たることで、光触媒の触媒作用によって、捕集部６１を殺菌するとともに周囲の空気中に含まれる臭いの成分を分解し、また表面に付着した汚れを分解することができる。
【００４４】
ところで、異物除去フィルタ１００を備えた洗濯機Ｓでは、排水ホース１９に排水が流れる場合、循環ホース５２ａ，５２ｂに洗濯水が流れる場合を例に挙げて説明した。しかし、洗濯水のうち洗剤水が流れている場合は洗剤の成分自身を分解する可能性もあるので、本実施形態では、ＬＥＤ６３を洗濯工程のうちで洗い工程のときは点灯させず、洗い工程以外の工程であるすすぎ工程、脱水工程、乾燥工程あるいは洗濯終了後に点灯させることが好ましい。また、光触媒はその表面に触れた臭い成分のみ分解可能であるため、乾燥工程や洗濯終了後に送風機５１ａなどで適度に発生させた気流を循環ホース５２ａなどを経由して異物除去フィルタ１００に届け、常に臭い成分を光触媒に触れさせるようにするとより効果的である。
【００４５】
次に、洗濯機Ｓの動作について図７を参照して説明する。図７は、第１実施形態に係る洗濯機の動作を示すフローチャートである。
図７に示すように、制御装置５０（図２参照）は、電源スイッチ３９（図１参照）が押されて電源が投入されると起動し、洗濯および乾燥の基本的な制御処理プログラムを実行する。まず、ステップＳ１００において、制御装置５０は、洗濯乾燥機の状態確認および初期設定を行う。
【００４６】
ステップＳ１１０において、制御装置５０は、操作パネル６（図１参照）の表示器１４（図１参照）を点灯表示し、操作スイッチ１３（図１参照）からの指示入力に従って洗濯コースを設定する。指示入力がない状態では、標準の洗濯コースまたは前回実施の洗濯コースを自動的に設定する。
【００４７】
ステップＳ１２０において、制御装置５０は、操作パネル６の操作スイッチ（スタートスイッチ）１５がＯＮされたかどうかを判定し、スタートスイッチがＯＮされた場合には（Ｙｅｓ）、ステップＳ１３０に進み、スタートスイッチがＯＮされていない場合には（Ｎｏ）、スタートスイッチの指示入力を監視する。また、制御装置５０は、スタートスイッチがＯＮされると、入力された運転コースに基づいて、運転パターンデータベースから対応する運転パターンを読み込み、ステップＳ１３０に進む。
【００４８】
ステップＳ１３０において、制御装置５０は、回転ドラム３に投入された洗濯物の重量（布量）を検出する。そして、制御装置５０は、検出した布量、水温などに基づいて、マップ検索により、投入する洗剤量と運転時間と回転ドラムの回転速度を決定する。そして、制御装置５０は、求めた洗剤量や運転時間を操作パネル６の表示器１４（図１参照）に表示する。
【００４９】
ステップＳ１４０において、制御装置５０は、外槽２内に洗い工程に必要な水位となるまで給水する。
【００５０】
ステップＳ１５０において、制御装置５０は、洗い工程を実行する。この洗い工程は、例えば、前洗いを実行し、回転ドラム３を正逆回転（毎分３５回転から４５回転）させながら、循環ポンプ５３を回転することによって、外槽２の底部の洗い水（洗濯水）を循環ホース５２ａ，５２ｂを介して循環させて、回転ドラム３内の洗濯物に対して上方から振り掛ける。
【００５１】
なお、洗い工程において、制御装置５０は、ＬＥＤ６３をオフにする。ここでＬＥＤ６３をオフにするのは、洗い工程において洗剤水が流れている場合に洗剤の成分自身を分解する可能性があるからである。また、洗い工程終了後は、排水および脱水を実行する。まず、排水弁２５（図２参照）を開き、外槽２内の洗い水を排水し、排水が完了したことを水位センサ（不図示）で検知した後に、回転ドラム３を一方向に回転させて洗濯物に含まれている洗い水を遠心脱水する。
【００５２】
ステップＳ１６０において、制御装置５０は、すすぎ工程を実行する。洗い工程と同様に、回転ドラム３を正逆回転（毎分３５回転から４５回転）させながら、循環ポンプ５３を回転させて、外槽２の底部に溜まったすすぎ水を洗濯物の上部から振り掛ける。
【００５３】
すなわち、外槽２の底に溜まった洗濯水は、循環ホース５２ａを通ってフィルタケース７０に導入され、異物除去フィルタ１００で糸くずなど（異物）が除去された後、循環ホース５２ｂを通って回転ドラム３の上部から洗濯物に散水される。
【００５４】
すすぎ工程では、制御装置５０は、ＬＥＤ６３をオンにする。ＬＥＤ６３の光は、導光部６２を導光した後に、導光部６２から射出され、捕集部６１に照射される。これにより、捕集部６１において光触媒機能を発現し、捕集部６１を殺菌するとともに周囲の水中に含まれる臭いの成分を分解し、また表面に付着した汚れを分解することができる。
【００５５】
ステップＳ１７０において、制御装置５０は、脱水工程（最終脱水）を実行する。最終脱水は、排水弁２５を開放したままの状態で回転ドラム３を一方向に高速回転させるようにドラムモータ（不図示）を運転して、回転ドラム３内の洗濯物を遠心脱水するように行う。なお、この脱水工程においても、制御装置５０は、ＬＥＤ６３をオンにする（オンを継続する）。
【００５６】
ステップＳ１８０において、制御装置５０は、洗濯乾燥コースが設定されているかどうかを判定して、洗濯乾燥コースが設定されている場合には（Ｙｅｓ）、ステップＳ１９０に進み、洗濯乾燥コースが設定されていない場合には（Ｎｏ）、一連の処理を終了する。
【００５７】
なお、ステップＳ１８０において、制御装置５０は、ステップＳ１７０の最終脱水が終了する直前に、送風機５１ａをＯＮにする。これにより、送風機５１ａから発生する風の圧力とともに、一部の空気が、循環ホース５２ａ，５２ｂを通って、洗濯機本体１０内を循環する。このように、空気を循環させることで、臭いの成分を循環させることができるので、臭いの元を効率的に分解する（分解を繰り返す）ことができる。なお、異物除去フィルタ１００に風を循環ホース５２ａ，５２ｂを介して循環させることが難しい場合には、別の流路を設けて異物除去フィルタ１００に風を送るようにしてもよい。
【００５８】
また、乾燥工程が終了した後も、所定時間が経過するまでＬＥＤ６３をオンにしておくことが好ましい。これにより、カビ等細菌の増殖がさらに抑えられ、臭いの成分や汚れを分解して低減することができる。
【００５９】
なお、ＬＥＤ６３を点灯させるタイミングは、洗濯終了後のみであってもよく、すすぎ工程と脱水工程と乾燥工程を適宜組み合わせて点灯させてもよい。
【００６０】
以上説明したように、第１実施形態の異物除去フィルタ１００は、本体部６０と、捕集部６１と、導光部６２と、を有し、捕集部６１の少なくとも表面には、導光部６２を導光した光によって光触媒機能が発現する光触媒が配置されている。これによれば、カビ等細菌の増殖を抑えるとともに、臭いの成分や汚れを分解して低減することができる。
【００６１】
また、第１実施形態では、異物除去フィルタ１００の本体部６０が、導光部６２に光を導光させるＬＥＤ６３（光源）と、ＬＥＤ６３に電力を供給する電力供給部６４と、を備えている。これによれば、洗濯機本体１０の側にＬＥＤ６３や電力供給部６４が不要であり、これまで使用してきた異物除去フィルタを入れ替えて使用することが可能になり、異物除去フィルタ１００の適用が容易になる。
【００６２】
また、第１実施形態では、導光部６２の少なくとも表面には光触媒が配置されている。これによれば、捕集部６１に糸くずなどの異物が付着している場合であっても、ＬＥＤ６３の光を導光部６２に導光させるだけで光触媒機能を発現させることができる。
【００６３】
また、第１実施形態では、光触媒を、捕集部６１と導光部６２にコーティングした構成について説明したが、フィルタケース７０の収容部７０ａの壁面に光触媒をコーティングしてもよく、またはフィルタケース７０に光触媒を練り込んで光触媒の一部が表面に露出した状態にしてもよい。これにより、フィルタケース７０において殺菌効果や消臭効果、防汚効果を得ることができる。また、フィルタケース７０の内壁面がＬＥＤ６３の発光波長に対して高い反射率を有するもので構成すると、フィルタケース７０に到達した光を再度捕集部６１に戻すことができ、光触媒の作用をより高めることができる。
【００６４】
（第２実施形態）
図８は、第２実施形態の異物除去フィルタの導光部を示す側面図、図９は、第２実施形態の変形例に係る異物除去フィルタの導光部を示す側面図である。なお、第１実施形態と同様の構成については、同一符号を付して、再度の説明は省略する。
図８に示すように、第２実施形態の導光部６２Ａは、第１実施形態の導光部６２の周面にリング状のつば部６２ａ（光取り出し部）を軸方向に間隔を空けて複数形成したものである。また、つば部６２ａは、ＬＥＤ６３が接続されている基端側から先端側に向けて、隣り合う間隔が狭くなるように構成されている。
【００６５】
ところで、導光部６２の先端まで光をすべて導光させると、導光部６２の途中に位置する捕集部６１の光触媒に光が照射されなくなり、光触媒の機能を効率的に発現させることができない。このため、導光の途中に適度に光を外部に出射させる必要がある。そこで、光取り出し部としてつば部６２ａを設けることによって、導光部６２Ａの先端のみではなく、導光部６２Ａの軸方向（導光）の途中でも光を出射することができる。すなわち、ＬＥＤ６３から出射された光は、つば部６２ａが形成されていない位置Ｐ１では全反射する。また、Ｐ点を通過した光は、つば部６２ａが形成された位置Ｐ２において一部の光が導光部６２Ａの外部に出射し、その他の一部の光が反射して導光部６２Ａの先端に向けて導光する。
【００６６】
また、導光部６２Ａは、光の全反射条件を崩す形状としてつば部６２ａを設けたものであり、ＬＥＤ６３に近いほど、つば部６２ａの配置の密度が低く（間隔が長く）、ＬＥＤ６３から離れるほどつば部６２ａの配置の密度が高く（間隔が短く）なるように構成されている。このような配置（密度差）によって、導光部６２Ａの単位長さあたりにほぼ同様な光量を出すことができる。
【００６７】
このような導光部６２Ａから出射した光が捕集部６１（図５，６参照）に照射されると、捕集部６１の表面にコーティングされた光触媒の触媒作用によって、捕集部６１を殺菌するとともに周囲の空気に中に含まれる臭いの成分を分解し、また表面に付着した汚れを分解することができる。
【００６８】
また、図９に示すように、導光部６２Ｂは、図８のつば部６２ａの凸構造のものに替えて、光取り出し部として散乱印刷部６２ｂを備えたものである。散乱印刷部６２ｂは、例えば、白色で円形の印刷を複数箇所に形成することで構成されている。また、散乱印刷部６２ｂは、ＬＥＤ６３に近いほど、散乱印刷部６２ｂの配置の密度が低く、ＬＥＤ６３から離れるほど散乱印刷部６２ｂの配置の密度が高くなるように構成されている。このような配置（密度差）により、導光部６２Ｂの単位長さあたりにほぼ同様な光量を出すこができる。
【００６９】
なお、導光部６２Ｂの散乱印刷部６２ｂに替えて、凹み形状のものを光取り出し部として形成してもよい。また、導光部に散乱材などを部分的にコートしてもよい。この際の散乱材は樹脂中に酸化チタンなどの高屈折率の微粒子を混ぜてコート後に固めたものを使用でき、前記した凹形状や凸形状と組み合わせて用いることもできる。また、導光部６２Ａ，６２Ｂの表面に前記の光触媒をコーティングすることで、導光部６２Ａ，６２Ｂ自体にも殺菌効果と臭いや汚れを分解する効果を持たせることができる。
【００７０】
（第３実施形態）
図１０は、第３実施形態の異物除去フィルタを示す斜視図、図１１は、第３実施形態の変形例に係る異物除去フィルタを示す斜視図である。なお、他の実施形態と同様の構成については、同一符号を付して、再度の説明は省略する。
図１０に示すように、異物除去フィルタ１１０は、第１実施形態の捕集部６１および導光部６２に替えて、捕集部６５および導光部６２Ｃを備えたものである。
【００７１】
導光部６２Ｃは、一対の棒体６２ｄからなる構造部材（フレーム）で構成され、それぞれの棒体６２ｄの基端が本体部６０に固定されている。棒体６２ｄ，６２ｄは、軸方向と直交する方向に離れた状態で、且つ平行に配置されている。導光部６２Ｃは、第１実施形態と同様の材料で構成されている。
【００７２】
捕集部６５（ネット部）は、目の細かい繊維状のメッシュ状や不織布状のもの（網状の繊維）で構成されている。また、捕集部６５には光触媒がコーティングされている。導光部６２Ｃは本体部６０に接続されており、本体部６０内にそれぞれの棒体６２ｄに対応したＬＥＤ（図示せず）が搭載されている。
【００７３】
第３実施形態では、網状の繊維からなる捕集部６５を備えることで、より細かい糸くずなどのごみ（異物）を捕集することができる。また、図１０では導光部６２Ｃとしての棒体６２ｄが２本の場合を例に挙げて説明したが、それ以上の本数を有していてもよい。
【００７４】
また、図１１に示すように、図１０の２本の棒体６２ｄ，６２ｄの先端部同士を接続部６２ｅで接続して、コの字状の導光部６２Ｄとしてもよい。このような形状にすることによって、図１０の導光部６２Ｃに比べて構造部材としての強度を高めることができる。
【００７５】
（第４実施形態）
図１２は、第４実施形態の異物除去フィルタを示し、（ａ）は斜視図、（ｂ）は側面図である。なお、図１２では、本体部の図示を省略し、形状を簡略化して図示している。
図１２（ａ）に示すように、異物除去フィルタ１２０は、捕集部が導光部を兼ねた捕集部兼導光部６６を備えている。捕集部兼導光部６６の表面には、光触媒がコーティングされている。なお、捕集部兼導光部６６の表面に光触媒をコーティングする構成に限定されるものではなく、樹脂などの材料の中にあらかじめ光触媒を混ぜておき、光触媒の一部が表面に露出している構成であってもよい。さらに光触媒をコートする際に密着性や樹脂などの材料保護のためにアンダーコート材を施してもよい。
【００７６】
捕集部兼導光部６６は、一対の側板６６ａ，６６ａと、この側板６６ａの下端同士をつなぐ底板６６ｂと、側板６６ａ，６６ａおよび底板６６ｂをつなぐ前板６６ｃと、を有して構成されている。また、側板６６ａには複数の捕集孔６６ｄが形成されている（図１２（ｂ）参照）。また、底板６６ｂには、複数の捕集孔６６ｄが形成されている。底板６６ｂの捕集孔６６ｄは、基端から先端に向けて直線状に配置された捕集孔群６６ｄ１が複数列（図では３列）に配置されている。隣り合う捕集孔群６６ｄ１間は、基端から先端まで直線状の壁部６６ｂ１，６６ｂ１が形成されている。
【００７７】
また、異物除去フィルタ１２０は、図示しない本体部に、捕集部兼導光部６６の底板６６ｂに光を導入するためのＬＥＤ６３を備えている。ＬＥＤ６３は、捕集孔群６６ｄ１の配列方向に沿って複数並んで配置されている。なお、本実施形態では、４個のＬＥＤ６３が並設されているが、３個以下であっても、５個以上であってもよく、適宜変更することができる。
【００７８】
ＬＥＤ６３からの光の一部は、図１２（ａ）の矢印Ａ，Ｂ（光路）で示すように、捕集孔６６ｄに入射されると屈折して、捕集部兼導光部６６の外に射出される。また、捕集孔６６ｄから射出された光の一部は、側板６６ａに照射される。
【００７９】
また、ＬＥＤ６３からの光の一部は、図１２（ａ）の矢印Ｃ（光路）で示すように、隣り合う捕集孔群６６ｄ１間を先端に向けて直進する。この光は、図１２（ｂ）の矢印Ｃ（光路）で示すように、底板６６ｂの上下の空気層（水層）との界面で全反射しながら導光し、さらに前板６６ｃの前後の空気層（水層）との界面で全反射しながら導光する。これにより、捕集部兼導光部６６の基端部に配置されたＬＥＤ６３の光を、捕集部兼導光部６６の先端まで届けることができる。
【００８０】
なお、本実施形態では、捕集部兼導光部６６の底板６６ｂに対応する位置にＬＥＤ６３を配置した場合を例に挙げて説明したが、左右の側板６６ａに対応する位置にもＬＥＤを配置してもよい。また、捕集部兼導光部６６の捕集孔６６ｄの間隔やサイズを変更してもよく、また捕集部兼導光部６６の表面に凹部や凸部を適宜付与することで、光の射出量を制御するようにしてもよい。
【００８１】
第４実施形態では、前記した効果に加え、捕集部兼導光部６６を備えることで、導光部が捕集部を兼ねることから、異物除去フィルタ１２０に用いる部材の種類や組み立て工数を減らすことができる。また、異物除去フィルタ１２０に糸くずなどの異物が付着していても、光触媒機能を発現させることができる。
【００８２】
（第５実施形態）
図１３は、第５実施形態の異物除去フィルタおよび洗濯機本体の一部の概略構成を示す断面図である。なお、他の実施形態と同様の構成については、同一符号を付して、再度の説明は省略する。
図１３に示すように、洗濯機Ｓは、本体部６０と捕集部６１と導光部６２とを有し、捕集部６１の表面に光触媒がコーティングされている異物除去フィルタ１３０と、洗濯機本体１０に設けられ、異物除去フィルタ１３０を差し込むフィルタケース７０と、備えている。なお、異物除去フィルタ１３０は、フィルタケース７０との隙間を塞いで水が漏れることを防ぐパッキン（不図示）を備えている。
【００８３】
異物除去フィルタ１３０の本体部６０は、導光部６２に光を導光させるＬＥＤ（図示省略）と、ＬＥＤに電力を供給する受電コイル（電力受電・供給部）８１と、を備えている。一方、フィルタケース７０は、受電コイル８１に電力を供給する送電コイル（電力供給部）８２を備えている。これにより、電磁誘導によって非接触でＬＥＤ（図示せず）に電力を供給できるようになっている。
【００８４】
第５実施形態では、受電コイル８１および送電コイル８２を用いた非接触給電によりＬＥＤを発光させることができるため、前述した効果に加え、電池などの電力供給部の交換などの手間を省くことができる。またユーザに電池交換などさせる必要がないため、異物除去フィルタ１３０側に開閉部などを設ける必要が無く、より高い防水構造をとることができる。
【００８５】
（第６実施形態）
図１４は、第６実施形態の異物除去フィルタおよび洗濯機本体の一部の概略構成を示す断面図、図１５は、第６実施形態の変形例の異物除去フィルタおよび洗濯機本体の一部の概略構成を示す断面図であり、（ａ）は第１の変形例、（ｂ）は第２の変形例、（ｃ）は第３の変形例である。なお、他の実施形態と同様の構成については、同一符号を付して、再度の説明は省略する。
図１４に示すように、洗濯機Ｓは、本体部６０と捕集部６１と導光部６２とを有し、導光部６２を導光した光によって光触媒機能が発現する光触媒が捕集部６１の少なくとも表面に配置されている異物除去フィルタ１４０と、洗濯機本体１０に設けられて異物除去フィルタ１４０を差し込むフィルタケース７０と、洗濯機本体１０側に設けられるＬＥＤ６３と、を備えている。なお、本体部６０の内部には、ＬＥＤや電力供給部は設けられていない。
【００８６】
ＬＥＤ６３は、導光部６２の先端６２ｃと対向する洗濯機本体１０側に配置されている。フィルタケース７０は、導光部６２の先端６２ｃとＬＥＤ６３との間の壁面の一部（ケース部の少なくとも一部）が、ＬＥＤ６３からの光を透過して導光部６２に導光させる透明部（光透過部）７１を有している。
【００８７】
また、ＬＥＤ６３と透明部７１との間には、レンズ９１（光学系）が設けられている。レンズ９１は、ＬＥＤ６３から出射した光をレンズ９１により集光して、異物除去フィルタ１４０に取り付けられた導光部６２の先端６２ｃに入射させるものである。なお、ＬＥＤ６３から出射した光は、捕集部６１の捕集孔６１ｄを通過させるようにしてもよく、別に設けた貫通孔を通過させるようにしてもよい。
【００８８】
洗濯機Ｓの本体側（洗濯機本体１０）は、ＬＥＤ６３、レンズ９１を有し、フィルタケース７０の一部が透明部７１を有している。透明部７１は、導光部６２と同様の材質が利用可能であり、その表面に光触媒をコートしてもよい。なお、ＬＥＤ６３には、洗濯機本体１０側から電力が供給される。
【００８９】
第６実施形態では、ＬＥＤ６３や回路といった電気系が洗濯機本体１０側に搭載され、ＬＥＤ６３を発光させるために必要な電力も洗濯機本体１０から供給される。このため、前記した効果に加え、電池などの電力供給部の交換が必要なく、より高い防水構造の異物除去フィルタ１４０を実現できる。また、非接触給電（図１３参照）のようなコイルなどを用いる必要もなく、部材省略ができる。
【００９０】
また、図１４に示す実施形態に替えて、図１５（ａ）の第１の変形例に示すように、ＬＥＤ６３、レンズ９１、透明部７１Ａが異物除去フィルタ１４０に対して側面に配置されていてもよい。この場合、導光部６２Ｄには、先端部に傾斜面６２ｓが形成され、導光部６２Ｄに入射した光の方向を導光部６２Ｄと空気（あるいは水）との界面による全反射により変えることができる。
【００９１】
第１の変形例では、糸くず（異物）の溜まり易い異物除去フィルタ１４０の先端側を避けてＬＥＤ６３の光を捕集部６１に照射することができるので、より効果的に光触媒機能を発現させることが可能になる。
【００９２】
また、図１５（ａ）に示す実施形態（第１変形例）に替えて、図１５（ｂ）の第２の変形例に示すように、導光部６２Ｅに屈曲部６２ｔを形成してもよい。屈曲部６２ｔは、透明部７１Ａの側に折り曲げて形成されるとともに傾斜面６２ｓが形成されている。また、屈曲部６２ｔの先端６２ｔ１は、捕集部６１の側板６１ａから突出している。
【００９３】
このように、第２の変形例では、屈曲部６２ｔによって、糸くず（異物）などが捕集部６１に溜まった場合であっても、より効果的に光を導光部６２Ｅの先端に入射させることができる。なお、図１５（ｂ）では、屈曲部６２ｔの傾斜面６２ｓによって全反射で光の方向を変えたが、曲面（図示せず)を用いて全反射させてもよい。
【００９４】
また、図１５（ｂ）に示す実施形態（第２変形例）に替えて、図１５（ｃ）の第３の変形例に示すように、導光部６２Ｆに屈曲部６２ｔを形成してもよい。屈曲部６２ｔの位置は、本体部６０に近い側に設けられている。この場合、屈曲部６２ｔの位置に合わせて、透明部７１Ｂの位置をフィルタケース７０の基端に形成する。また、屈曲部６２ｔには、ＬＥＤ６３から入射された光を導光部６２Ｆの先端に向けて反射させる反射板６２ｕが形成されている。
【００９５】
このように、第３の変形例では、糸くず（異物）の溜まり易い異物除去フィルタ１４０の先端側を避けてＬＥＤ６３の光を捕集部６１に照射することができるので、より効果的に光触媒機能を発現させることが可能になる。
【００９６】
なお、第６実施形態および各変形例において、図８および図９で説明した光取り出し部としてつば部または散乱印刷部などを追加するようにしてもよい。この場合、第６実施形態、第１変形例および第２変形例では、ＬＥＤ６３からの光が導光部６２，６２Ｄ，６２Ｅの先端から入射するため、光取り出し部（図示せず）の配置密度は、導光部６２，６２Ｅ，６２Ｆの先端が低く、根元（本体部６０側）で高くすると、単位面積当たり均一に光を照射することができる。
【００９７】
また、図１５（ａ）ないし図１５（ｃ）では、ＬＥＤ６３の光を捕集部６１の側板６１ａ側から入射する場合を例に挙げて説明したが、捕集部６１の開口側（紙面鉛直方向の手前側）からＬＥＤ６３の光を入射するようにしてもよい。これにより、捕集部６１に、ＬＥＤ６３からの光を通過させるための孔を形成することが不要になり、ＬＥＤ６３の光を導光部６２Ｄ，６２Ｅに入射させ易くなる。
【００９８】
（第７実施形態）
図１６は、第７実施形態の異物除去フィルタおよび洗濯機本体の一部の概略構成を示す断面図である。なお、他の実施形態と同様の構成については、同一符号を付して、再度の説明は省略する。
図１６に示すように、洗濯機Ｓは、本体部６０および捕集部６１を有する異物除去フィルタ１５０と、洗濯機本体１０に設けられて異物除去フィルタ１５０を差し込むフィルタケース７０と、を備えている。捕集部６１とフィルタケース７０には、表面に光触媒がコーティングされている。また、導光部６２Ｇに光触媒が設けられていてもよい。
【００９９】
フィルタケース７０は、ＬＥＤ６３および導光部６２Ｇを備えている。導光部６２Ｇは、フィルタケース７０から捕集部６１に向けて突き出して構成されている。捕集部６１の表面には、導光部６２Ｇを導光した光によって光触媒機能が発現する光触媒が配置されている。導光部６２Ｇは、フィルタケース７０を貫通し、異物除去フィルタ１５０の捕集部６１の凹部内に配置されている。なお、捕集部６１には、導光部６２Ｇを貫通させるための孔が形成されていてもよく、導光部６２Ｇを逃げるように捕集部６１に逃げ（凹み）が形成されていてもよい。また、導光部６２Ｇがフィルタケース７０を貫通する部分は、シール部材によって密閉されるように構成されている。
【０１００】
ＬＥＤ６３からの光は、導光部６２Ｇを導光した後、異物除去フィルタ１５０の捕集部６１やフィルタケース７０に照射される。
【０１０１】
第７実施形態では、ＬＥＤ６３や回路といった電気系が洗濯機の本体側に搭載され、ＬＥＤ６３を発光させるために必要な電力が洗濯機本体１０から供給されるので、前記の効果に加え、電池などの電力供給部の交換が必要なく、より高い防水構造の異物除去フィルタ１５０を実現できる。また、第７実施形態では、非接触給電（図１３参照）のようなコイルなどを用いる必要もなく、部材省略ができる。
【０１０２】
なお、第７実施形態では、洗濯機本体１０から１本の導光部６２Ｇが捕集部６１に突き出る構成を例に挙げて説明したが、複数本の導光部６２Ｇが捕集部６１に突き出る構成であってもよく、または導光部６２Ｇが捕集部６１とフィルタケース７０との間の隙間７２（図１６参照）に配置される構成であってもよい。また、導光部の形状は、棒状だけではなく板状としてもよい。また、導光部の一部に平面や曲面による光案内部を設けて、ＬＥＤ６３の位置や導光する光の方向を変えてもよい。
【０１０３】
（第８実施形態）
図１７は、第８実施形態の異物除去フィルタおよび洗濯機本体の一部を示す断面斜視図、図１８は、第８実施形態の異物除去フィルタを概略的に示す分解斜視図、図１９は、第８実施形態の異物除去フィルタの導光部を示す断面図である。第８実施形態では、縦型の洗濯機に異物除去フィルタ１６０を適用した場合について説明する。なお、図１８は、内槽３Ａ内に設けられるパルセータと、パルセータを回転させるモータと、を取り除いた状態を図示している。
【０１０４】
図１７に示すように、異物除去フィルタ１６０は、内槽３Ａに取り付けられた循環流路部材２８に取り付けられている。
【０１０５】
内槽３Ａは、ステンレス合金製の胴体部３１と、胴体部３１の上端に設けられる流体バランサ３２と、合成樹脂製の底板３３と、を備えている。また、底板３３の内側には、図示省略したパルセータが回転自在に取り付けられている。また、パルセータの裏面（下面）には羽根が設けられており、パルセータが回転することで、パルセータの外側に洗濯水が押し出され、底板３３に形成された案内路３３ａを通って循環流路部材２８に案内される。
【０１０６】
図１８に示すように、異物除去フィルタ１６０は、捕集部兼本体部６７と、導光部６２Ｈと、を有して構成されている。また、捕集部兼本体部６７の表面には、導光部６２Ｈを導光した光によって光触媒機能が発現する光触媒がコーティングされている。 
【０１０７】
捕集部兼本体部６７は、本体部６０Ａと捕集部６１Ａとが組み合わさって一体に構成されている。捕集部６１Ａの下端に本体部６０Ａが配置されている。本体部６０Ａ内には、導光部６２Ｈに光を入射させるＬＥＤ６３（光源）と、ＬＥＤ６３に電力を供給する電力供給部６４（図１９参照）と、が設けられている。
【０１０８】
捕集部６１Ａは、合成樹脂製の筺体６１ｅを有し、筺体６１ｅの前面に複数の捕集孔６１ｆが形成されている。この捕集孔６１ｆには、ネット状のフィルタ６１ｇが取り付けられている。また、筺体６１ｅの上部には、着脱する際の手掛かりとなる凹み部６１ｈが形成されている。
【０１０９】
導光部６２Ｈは、洗濯水を導入するための導入孔６２ｖが複数形成されている。また、導光部６２Ｈの下端には、外面が内槽外側且つ下向きとなる傾斜面６２ｗが形成されている。
【０１１０】
図１９に示すように、導光部６２Ｈを捕集部６１Ａの背面に取り付けることによって、導光部６２Ｈと捕集部６１Ａとの間に洗濯水が流れる流路Ｒが形成されている。よって、白抜き矢印で示すように、循環流路部材２８を通って導光部６２Ｈの導入孔６２ｖから導入された洗濯水は、流路Ｒ内において上方から下方に向けて流れ、フィルタ６１ｇで糸くず（異物）が除去された後、捕集孔６１ｆから内槽３Ａ内に流れ込む。また、循環流路部材２８に導入された洗濯水は、異物除去フィルタ１６０の上方に形成されたスリット状の吐出口２８ａ（図１７参照）から洗濯水が吐出されて内槽３Ａ内に戻される。
【０１１１】
また、異物除去フィルタ１６０では、ＬＥＤ６３からの光は、図１９の矢印Ｄ（光路）で示すように、透明部７１Ｃを通して導光部６２Ｈの下端に入射し、傾斜面６２ｗによって全反射して上方に向きを変える。その後、光は、導光部６２Ｈ内を全反射しながら上方に向けて導光し、導入孔６２ｖの位置において導光部６２Ｈの外に射出され、捕集部６１Ａを照射する。
【０１１２】
なお、光触媒は、捕集部６１Ａだけではなく、導光部６２Ｈの少なくとも表面にコーティング（配置）してもよい。また、導光部６２Ｈに、図８および図９で説明した光取り出し部を設けてもよい。
【０１１３】
糸くず（異物）を清掃する際は、異物除去フィルタ１６０を内槽３Ａから取り外し、捕集部兼本体部６７と導光部６２Ｈとを離すことで、内部の糸くずなど(異物）を取り除くことできる。
【０１１４】
第８実施形態では、前記したドラム式の洗濯機Ｓだけではなく、縦型の洗濯機に適用した場合でも、前記実施形態と同様の効果を得ることができる。
【０１１５】
なお、本発明は、前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【０１１６】
１０  洗濯機本体
１９  排水ホース
５１  送風ユニット
５１ａ  送風機
５２ａ，５２ｂ  循環ホース（流路）
６０  本体部
６０ｂ  つまみ部
６１  捕集部
６１ｄ  捕集孔
６２，６２Ａ，６２Ｂ，６２Ｃ，６２Ｄ，６２Ｅ，６２Ｆ，６２Ｇ，６２Ｈ  導光部
６２ａ  つば部（光取り出し部）
６２ｂ  散乱印刷部（光取り出し部）
６２ｄ  棒体（フレーム）
６２ｓ  傾斜面
６２ｔ  屈曲部
６３  ＬＥＤ（光源）
６４  電力供給部（電力供給源）
６５  捕集部（網状の繊維）
６６  捕集部兼導光部
６７  捕集部兼本体部
７０  フィルタケース（ケース部）
７１，７１Ａ，７１Ｂ，７１Ｃ  透明部（光透過部）
９１  レンズ（光学系）
８１  受電側コイル（電力受電・供給部）
８２  送電側コイル（電力供給部）
１００，１１０，１２０，１３０，１４０，１５０，１６０  異物除去フィルタ
Ｓ    洗濯機
【図１】
2017148202.tif 000003
【図２】
2017148202.tif 000004
【図３】
2017148202.tif 000005
【図４】
2017148202.tif 000006
【図５】
2017148202.tif 000007
【図６】
2017148202.tif 000008
【図７】
2017148202.tif 000009
【図８】
2017148202.tif 000010
【図９】
2017148202.tif 000011
【図１０】
2017148202.tif 000012
【図１１】
2017148202.tif 000013
【図１２】
2017148202.tif 000014
【図１３】
2017148202.tif 000015
【図１４】
2017148202.tif 000016
【図１５】
2017148202.tif 000017
【図１６】
2017148202.tif 000018
【図１７】
2017148202.tif 000019
【図１８】
2017148202.tif 000020
【図１９】
2017148202.tif 000021